(57)【要約】      （修正有）【課題】長期使用の場合でも横ピンの主要部分に錆が生じることがなく、特にピン抜きが簡略容易であり、かつ、危険なハンマー作業が不要で作業者の安全確保を図ることができる作業機械バケットの横ピン型取り付け具に用いる横ピンを提供する。【解決手段】作業機械バケット２１の横ピン型取り付け具に用いる横ピン１は、アダプタ２２とこのアダプタ２２に嵌装する各ポイント２４とを貫く各横孔２４ａ、２２ｂに一方側から挿入し、各横孔２４ａの他方側でネジ止めして、ポイント２４をアダプタ２２に各々固着する作業機械バケットの横ピン型取り付け具に用いる横ピン１であって、突出端部から内方に向けて雌ネジ３を設けたボルト型の横ピン本体２と、横ピン本体２の基端側に装着するワッシャー４と、突出端部側に介在させる雨水等に対するシール部材で覆われたシールワッシャー５、ワッシャー６及び雨水等に対するシール部材で覆われたシールワッシャー７と、横ピン本体２の雌ネジ３にネジ止めするボルト８と、を有するものである。【選択図】図１
0003140108.tif 000002
【実用新案登録請求の範囲】
【請求項１】
作業機械バケットの掘削縁部側に列設したアダプタとこのアダプタに嵌装する各ポイントとを貫く各横孔に一方側から挿入し、各横孔の他方側でネジ止めして、前記ポイントを前記アダプタに各々固着する作業機械バケットの横ピン型取り付け具に用いる横ピンであって、
突出端部にネジ止め用のネジ部を有するボルト型の横ピン本体と、
前記横ピン本体の基端側に装着するワッシャーと、
前記横ピン本体の突出端部側に介在させるワッシャー及び雨水等に対するシール部材と、
前記ネジ部にネジ止めするネジ止め具と、
を有することを特徴とする作業機械バケットの横ピン型取り付け具に用いる横ピン。
【請求項２】
作業機械バケットの掘削縁部側に列設したアダプタとこのアダプタに嵌装する各ポイントとを貫く各横孔に一方側から挿入し、各横孔の他方側でネジ止めして、前記ポイントを前記アダプタに各々固着する作業機械バケットの横ピン型取り付け具に用いる横ピンであって、
突出端部から内方に向けて雌ネジを設けたボルト型の横ピン本体と、
前記横ピン本体の基端側に装着するワッシャーと、
前記横ピン本体の突出端部側に介在させる雨水等に対するシール部材で覆われたシールワッシャー、ワッシャー及び雨水等に対するシール部材で覆われたシールワッシャーと、
前記横ピン本体の雌ネジにネジ止めするボルトと、
を有することを特徴とする作業機械バケットの横ピン型取り付け具に用いる横ピン。
【請求項３】
作業機械バケットの掘削縁部側に列設したアダプタとこのアダプタに嵌装する各ポイントとを貫く各横孔に一方側から挿入し、各横孔の他方側でネジ止めして、前記ポイントを前記アダプタに各々固着する作業機械バケットの横ピン型取り付け具に用いる横ピンであって、
突出端部領域に雄ネジを設けたボルト型の横ピン本体と、
前記横ピン本体の基端側に装着するワッシャーと、
前記横ピン本体の突出端部領域に介在させるワッシャー及び雨水等に対するシール部材で覆われたシールワッシャーと、
前記横ピン本体の雄ネジにネジ止めする袋ナットと、
を有することを特徴とする作業機械バケットの横ピン型取り付け具に用いる横ピン。
【考案の詳細な説明】
【技術分野】
【０００１】
本考案は、長期使用の場合でも横ピンの主要部分に錆が生じることがなく、特にピン抜きが簡略容易であり、かつ、危険なハンマー作業が不要で作業者の安全確保を図ることができる斬新な作業機械バケットの横ピン型取り付け具に用いる横ピンに関するものである。
【背景技術】
【０００２】
パワーショベル、ショベルローダ等の作業機械に取付けて使用する各種のバケットにおいては、該バケットの地盤を掘削する掘削縁部側に等間隔に列設した複数個（例えば４個又は５個）のアダプタ（金具）に対して、地均し板側の複数個のポイントの後部を各々嵌合し、アダプタとポイントを貫く各横孔に各々横ピンを嵌合することで各ポイントを着脱可能に固着している。
【０００３】
このような従来型の横ピンの構成及び使用態様について図５乃至図９を参照して概説する。
【０００４】
図５乃至図７に示す第１の従来例は、作業機械バケット２１の地盤を掘削する掘削縁部側に配置するアダプタ２２の装着突部２２ａを、地均し板２３側のポイント２４に設けた受凹部２５に嵌装するとともに、前記装着突部２２ａに設けた横孔と、受凹部２５の側壁に設けた横孔とを略貫通するように横ピン２６をハンマー等で打ち込むことで、これらアダプタ２２、ポイント２４を一体的に固着するものである。
【０００５】
前記横ピン２６としては、図６、図７に示すように、前記横孔よりわずかに小径としたピン本体２７の長さ方向中央部に設けた小径部２７ａに、アダプタ２２内の横孔内壁に圧接する抜け防止用のスプリングワッシャー部２８を備えるものを使用する。
【０００６】
このスプリングワッシャー部２８の外径はアダプタ２２内の横孔内径よりも大きく、前記横孔への嵌め込み時には、スプリング機能によりスプリングワッシャー部２８の外径は前記横孔と同等となり、完全に打ち込まれた状態では元の寸法に戻ろうとして前記アダプタ２２の横孔内壁に圧接する。これにより、前記横ピン２６の抜け止め作用を発揮させるものである。
【０００７】
図８、図９に示す第２の従来例は、作業機械バケット２１の地盤を掘削する掘削縁部側に配置するアダプタ２２の装着突部を、地均し板２３側のポイント２４に設けた受凹部２５に嵌装するとともに、ポイント２４に設けた一方の横孔の外側から前記装着突部に設けた横孔と、受凹部２５の側壁に設けた横孔とを略貫通するように横ピン３１をハンマー等で打ち込むようにしている。
【０００８】
この場合に、前記ポイント２４に設けた他方の横孔の外側端面に配置したリテーナ３２に、横ピン３１の端部近傍に設けたピン溝３１ａを係合させることでこれらアダプタ２２、ポイント２４を一体的に固着するとともに、横ピン３１の抜け止め防止を図っている。
【０００９】
前記リテーナ３２は、図９に示すように、ポイント２４の横孔に添着する円筒体３３と、この円筒体３３に添着した割型のスプリングワッシャー３４とから構成され、スプリングワッシャー３４の内径を前記横ピン３１の外径よりも小さくし、横ピン打ち込み時にはスプリング機能により押し広げ、その後端部近傍に設けたピン溝３１ａにスプリングワッシャー３４の内径部を係合させることで横ピン３１の抜け止めを実現している。
【００１０】
しかしながら、上述した第１の従来例の場合、屋外での実際の使用を繰り返すと、スプリングワッシャー部２８に錆が生じて前記アダプタ２２の横孔内壁との密着性が高まり、横ピン２６の抜き取り作業が困難を極めるという事態が多く生じていた。
【００１１】
また、上述した第２の従来例の場合、横ピン３１をリテーナ３２から抜き取るための適正な工具がなく、やはり横ピン３１の抜き取り作業が困難を極めるという事態が多く生じている。
【００１２】
更に、上述した第１、第２の従来例いずれの場合も、ハンマーによる打ち込み作業や抜き取り作業が必須であり、このため、誤って横ピン抜き取り工具を保持する作業者の片手を打ってしまい怪我をする等の危険性もある。
【００１３】
特許文献１には、パワーショベル等の土木建設機械に取付けて使用するバケットの地盤を掘削する掘削縁部に予め溶接固定したアダプタに対して、ポイントの後部を嵌合し、アダプタとポイントに貫設した横孔に横ピンを強嵌合してポイントを着脱可能としたパワーショベル等のバケットの地均し板が開示されている。
【００１４】
この特許文献１の場合も、横ピンの抜き取りに関して格別の工夫を講じたものではなく、また、横ピンを抜き取るための工具に言及するものでもない。
【特許文献１】特開平９−１３７４７７号公報
【考案の開示】
【考案が解決しようとする課題】
【００１５】
本考案が解決しようとする問題点は、屋外で長期にわたって使用した場合でも横ピンの主要部分に錆が生じることがなく、しかも、ピンを抜くための特別な工具を全く必要とすることなく単なる通常の工具だけをもって、ピン抜きが簡略、容易であり、かつ、危険なハンマー作業が不要で作業者の安全確保の点にも優れる作業機械バケットの横ピン型取り付け具に用いる横ピンが存在しない点である。
【課題を解決するための手段】
【００１６】
本考案の作業機械バケットの横ピン型取り付け具に用いる横ピンは、作業機械バケットの掘削縁部側に列設したアダプタとこのアダプタに嵌装する各ポイントとを貫く各横孔に一方側から挿入し、各横孔の他方側でネジ止めして、前記ポイントを前記アダプタに各々固着する作業機械バケットの横ピン型取り付け具に用いる横ピンであって、突出端部にネジ止め用のネジ部を有するボルト型の横ピン本体と、前記横ピン本体の基端側に装着するワッシャーと、前記横ピン本体の突出端部側に介在させるワッシャー及び雨水等に対するシール部材と、前記ネジ部にネジ止めするネジ止め具と、を有することを最も主要な特徴とする。
【考案の効果】
【００１７】
請求項１記載の考案によれば、作業機械バケットを屋外で長期間使用し雨水等に晒された場合においても、横ピン本体のネジ部に錆が発生することがなく、また、特に抜き取り時に従来例のようなハンマーやピンを抜くための特別な工具を全く必要とすることなく単なる通常の工具だけをもって、抜き取り作業の簡略容易化及び作業安全性を図ることが可能な作業機械バケットの横ピン型取り付け具に用いる横ピンを提供することができる。
【００１８】
請求項２記載の考案によれば、突出端部から内方に向けて雌ネジを設けたボルト型の横ピン本体と、横ピン本体の基端側に装着するワッシャーと、横ピン本体の突出端部側に介在させる雨水等に対するシール部材で覆われたシールワッシャー、ワッシャー及び雨水等に対するシール部材で覆われたシールワッシャーと、横ピン本体の雌ネジにネジ止めするボルトと、を有する構成で、ボルトのネジ部分や雌ネジ内に水分が侵入して錆が発生する事態をなくすことができ、また、特に抜き取り時に従来例のようなハンマーやピンを抜くための特別な工具を全く必要とすることなく単なる通常の工具だけをもって、抜き取り作業の簡略容易化及び作業安全性を図ることが可能な作業機械バケットの横ピン型取り付け具に用いる横ピンを提供することができる。
【００１９】
請求項３記載の考案によれば、突出端部領域に雄ネジを設けたボルト型の横ピン本体と、前記横ピン本体の基端側に装着するワッシャーと、前記横ピン本体の突出端部領域に介在させるワッシャー及び雨水等に対するシール部材で覆われたシールワッシャーと、前記横ピン本体の雄ネジにネジ止めする袋ナットと、を有する構成で、横ピン本体の雄ネジ部分に水分が侵入して錆が発生する事態をなくすことができ、また、やピンを抜くための特別な工具を全く必要とすることなく単なる通常の工具だけをもって、抜き取り作業の簡略容易化及び作業安全性を図ることが可能な作業機械バケットの横ピン型取り付け具に用いる横ピンを提供することができる。
【考案を実施するための最良の形態】
【００２０】
本考案は、屋外で長期にわたって使用した場合でも横ピンの主要部分に錆が生じることがなく、しかも、ピンを抜くための特別な工具を全く必要とすることなく単なる通常の工具だけをもって、ピン抜きが簡略、容易であり、かつ、危険なハンマー作業が不要で作業者の安全確保の点にも優れる作業機械バケットの横ピン型取り付け具に用いる横ピンを提供するという目的を有するものである。
【００２１】
本考案の作業機械バケットの横ピン型取り付け具に用いる横ピンは、作業機械バケットの掘削縁部側に列設したアダプタとこのアダプタに嵌装する各ポイントとを貫く各横孔に一方側から挿入し、各横孔の他方側でネジ止めして、前記ポイントを前記アダプタに各々固着する作業機械バケットの横ピン型取り付け具に用いる横ピンであって、突出端部から内方に向けて雌ネジを設けたボルト型の横ピン本体と、前記横ピン本体の基端側に装着するワッシャーと、前記横ピン本体の突出端部側に介在させる雨水等に対するシール部材で覆われたシールワッシャー、ワッシャー及び雨水等に対するシール部材で覆われたシールワッシャーと、前記横ピン本体の雌ネジにネジ止めするボルトと、を有する構成により上記目的を実現した。
【実施例】
【００２２】
以下に、本考案の実施例に係る作業機械バケットの横ピン型取り付け具に用いる横ピンについて詳細に説明する。
【００２３】
（実施例１）
図１、図２を参照して本実施例１に係る作業機械バケット２１の横ピン型取り付け具に用いる横ピン１について説明する。
【００２４】
図１、図２に示す本実施例１に係る作業機械バケットの横ピン型取り付け具に用いる横ピン１は、上述した図５に示す作業機械バケット２１のアダプタ２２、ポイント２４をネジ止め方式で一体的に固着するように構成したことが特徴である。
【００２５】
すなわち、本実施例１に係る作業機械バケットの横ピン型取り付け具に用いる横ピン１は、図１、図２に示すように、突出端部から内方に向けて雌ネジ３を設けたボルト型の横ピン本体２と、前記横ピン本体２の基端側に装着するワッシャー４と、前記横ピン本体２の突出端部側に介在させるゴムパッキン等の雨水等に対するシール部材で覆われたシールワッシャー５、ワッシャー６及び雨水等に対するシール部材で覆われたゴムパッキン等のシールワッシャー７と、前記横ピン本体２の雌ネジ３にネジ止めするボルト８と、を有している。
【００２６】
本実施例１の作業機械バケットの横ピン型取り付け具に用いる横ピン１を用いて前記ポイント２４を前記アダプタ２２に一体的に取り付ける場合には、まず、ポイント２４に設けた受凹部２５をアダプタ２２の装着突部２２ａに対向させ、ポイント２４をアダプタ２２に差し込む。
【００２７】
次に、横ピン本体２の基端側にワッシャー４を装着し、この横ピン本体２をポイント２４の一方の横孔２４ａ、アダプタ２２の横孔２２ｂ、他方の横孔２４ａの順に差し込む。
【００２８】
次に、ボルト８にシールワッシャー５、ワッシャー６及びシールワッシャー７の順に嵌め、ポイント２４の他方の横孔２４ａの外側から前記ボルト８を前記雌ネジ３にねじ込み締め付ける。
【００２９】
これにより、作業機械バケットの横ピン型取り付け具に用いる横ピン１によって前記アダプタ２２、ポイント２４を一体的に固着することができる。
【００３０】
このような作業機械バケットの横ピン型取り付け具に用いる横ピン１によるアダプタ２２、ポイント２４の固着作業をアダプタ２２の列設個数（例えば５個）分繰り返すことにより、前記地均し板２３側の各ポイント２４を作業機械バケット２１の各アダプタ２２に強固に、かつ、一体的に取り付けることができる。
【００３１】
本実施例１の作業機械バケットの横ピン型取り付け具に用いる横ピン１を用いて前記ポイント２４を前記アダプタ２２に一体的に取り付けた場合には、前記横ピン本体２の突出端部側に設けた雌ネジ３に対して、シールワッシャー５、ワッシャー６及びシールワッシャー７を介して前記ボルト８がねじ込まれているので、作業機械バケット２１を屋外で長期間使用し雨水等に晒された場合においても、ボルト８のネジ部分や雌ネジ３内に水分が侵入することは皆無となり、この結果、これらに錆が発生することを回避できる。
【００３２】
次に、前記ポイント２４を前記アダプタ２２から取り外す場合について説明する。この場合には、まず、前記ボルト８を例えばスパナ等の工具により緩めて前記雌ネジ３からシールワッシャー５、ワッシャー６及びシールワッシャー７とともに抜き取る。このとき、上述したように、ボルト８のネジ部分や雌ネジ３に錆が発生していないことから、前記ボルト８の抜き取り作業を簡略容易に行うことができる。
【００３３】
次いでポイント２４の一方の横孔２４ａ側から横ピン本体２をワッシャー４とともに抜き取る。
【００３４】
このような横ピン本体２の抜き取り作業がアダプタ２２の列設個数（例えば５個）分繰り返される。
【００３５】
本実施例１の作業機械バケットの横ピン型取り付け具に用いる横ピン１によれば、作業機械バケット２１を屋外で長期間使用し雨水等に晒された場合においても、ボルト８のネジ部分や雌ネジ３内に水分が侵入して錆が発生することがなく、しかも、ピンを抜くための特別な工具を全く必要とすることなく単なる通常工具だけをもって、ピン抜きが簡略、容易であり、かつ、危険なハンマー作業が不要で作業者の安全確保の点にも優れ、抜き取り作業の簡略容易化及び作業安全性を図ることが可能となる。
【００３６】
（実施例２）
図３、図４を参照して本考案の実施例２に係る作業機械バケットの横ピン型取り付け具に用いる横ピン１１について説明する。
【００３７】
本実施例２に係る作業機械バケットの横ピン型取り付け具に用いる横ピン１１も、図３、図４に示すように、上述した図５に示す作業機械バケット２１のアダプタ２２、ポイント２４をネジ止め方式で一体的に固着するように構成したことが特徴である。
【００３８】
すなわち、本実施例２に係る作業機械バケットの横ピン型取り付け具に用いる横ピン１１は、突出端部領域に雄ネジ１３を設けたボルト型の横ピン本体１２と、前記横ピン本体１２の基端側に装着するワッシャー１４と、前記横ピン本体１２の突出端部領域に介在させるワッシャー１５及びゴムパッキン等の雨水等に対するシール部材で覆われたシールワッシャー１６と、前記横ピン本体１２の雄ネジ１３にネジ止めする袋ナット１７と、を有している。
【００３９】
本実施例２の作業機械バケットの横ピン型取り付け具に用いる横ピン１１を用いて前記ポイント２４を前記アダプタ２２に一体的に取り付ける場合には、まず、上述した場合と同様、ポイント２４に設けた受凹部２５をアダプタ２２の装着突部２２ａに対向させ、ポイント２４をアダプタ２２に差し込む。
【００４０】
次に、横ピン本体１２の基端側にワッシャー１４を装着し、この横ピン本体１２をポイント２４の一方の横孔２４ａ、アダプタ２２の横孔２２ｂ、他方の横孔２４ａの順に差し込む。
【００４１】
次に、前記横ピン本体１２の突出端部領域の雄ネジ１３の外周に前記ワッシャー１５及びシールワッシャー１６の順で装着し、この状態で袋ナット１７を前記雄ネジ１３にネジ止めし締め付ける。
これにより、作業機械バケットの横ピン型取り付け具に用いる横ピン１１によって前記アダプタ２２、ポイント２４を一体的に固着することができる。
【００４２】
このような作業機械バケットの横ピン型取り付け具に用いる横ピン１１によるアダプタ２２、ポイント２４の固着作業をアダプタ２２の列設個数（例えば５個）分繰り返すことにより、前記地均し板２３側の各ポイント２４を作業機械バケット２１の各アダプタ２２に強固に、かつ、一体的に取り付けることができる。
【００４３】
本実施例２の作業機械バケットの横ピン型取り付け具に用いる横ピン１１を用いて前記ポイント２４を前記アダプタ２２に一体的に取り付けた場合には、前記横ピン本体１２の突出端部領域の雄ネジ１３に対して、前記ワッシャー１５及びシールワッシャー１６を介して袋ナット１７がねじ込まれているので、作業機械バケット２１を屋外で長期間使用し雨水等に晒された場合においても、前記横ピン本体１２の雄ネジ１３の部分に水分が侵入することは皆無となり、この結果、この部分に錆が発生することを回避できる。
【００４４】
次に、前記ポイント２４を前記アダプタ２２から取り外す場合について説明する。この場合には、まず、前記袋ナット１７を例えばスパナ等の工具により緩めて前記雄ネジ１３から外す。このとき、上述したように、前記雄ネジ１３の部分に錆が発生していないことから、袋ナット１７の外し作業を簡略容易に行うことができる。更に前記ワッシャー１５及びシールワッシャー１６も前記雄ネジ１３から外す。
【００４５】
次いで、ポイント２４の一方の横孔２４ａ側から横ピン本体１２をワッシャー１４とともに抜き取る。
【００４６】
このような横ピン本体１２の抜き取り作業がアダプタ２２の列設個数（例えば５個）分繰り返される。
【００４７】
本実施例２の作業機械バケットの横ピン型取り付け具に用いる横ピン１１によれば、作業機械バケット２１を屋外で長期間使用し雨水等に晒された場合においても、前記雄ネジ１３のネジ部分に水分が侵入して錆が発生することがなく、しかも、ピンを抜くための特別な工具を全く必要とすることなく単なる通常の工具だけをもって、ピン抜きが簡略、容易であり、かつ、危険なハンマー作業が不要で作業者の安全確保の点にも優れ、抜き取り作業の簡略容易化及び作業安全性を図ることが可能となる。
【産業上の利用可能性】
【００４８】
本考案の作業機械バケットの横ピン型取り付け具に用いる横ピンは、上述したパワーショベル、ショベルローダ等の作業機械バケットに適用する場合の他、横ピン結合構造で一の部材と他の部材とを取り付け、また、必要に応じて分離するような機械器具について応用可能である。
【図面の簡単な説明】
【００４９】
【図１】本考案の実施例１に係る作業機械バケットの横ピン型取り付け具に用いる横ピンのアダプタ、ポイントに対する取り付け状態を示す概略部分断面図である。
【図２】本実施例１に係る主として横ピンの分解状態の概略図である。
【図３】本考案の実施例２に係る作業機械バケットの横ピン型取り付け具に用いる横ピンのアダプタ、ポイントに対する取り付け状態を示す概略部分断面図である。
【図４】本考案の実施例２に係る主として横ピンの分解状態の概略図である。
【図５】一般的な作業機械バケット及び横ピンを示す斜視図である。
【図６】第１の従来例の横ピン、アダプタ及びポイントの分解状態の平面図である。
【図７】第１の従来例の横ピンの拡大平面図である。
【図８】第２の従来例の横ピン、アダプタ及びポイントの分解状態の平面図である。
【図９】第２の従来例の横ピン及びリテーナを示す斜視図である。
【符号の説明】
【００５０】
１    横ピン
２    横ピン本体
３    雌ネジ
４    ワッシャー
５    シールワッシャー
６    ワッシャー
７    シールワッシャー
８    ボルト
１１    横ピン
１２    横ピン本体
１３    雄ネジ
１４    ワッシャー
１５    ワッシャー
１６    シールワッシャー
１７    袋ナット
２１    作業機械バケット
２２    アダプタ
２２ａ  装着突部
２２ｂ  横孔
２３    地均し板
２４    ポイント
２４ａ  横孔
２５    受凹部
【図１】
0003140108.tif 000003
【図２】
0003140108.tif 000004
【図３】
0003140108.tif 000005
【図４】
0003140108.tif 000006
【図５】
0003140108.tif 000007
【図６】
0003140108.tif 000008
【図７】
0003140108.tif 000009
【図８】
0003140108.tif 000010
【図９】
0003140108.tif 000011
【手続補正書】
【提出日】平成20年1月21日(2008.1.21)
【手続補正１】
【補正対象書類名】明細書
【補正対象項目名】全文
【補正方法】変更
【補正の内容】
【考案の詳細な説明】
【技術分野】
【０００１】
本考案は、長期使用の場合でも横ピンの主要部分に錆が生じることがなく、特にピン抜きが簡略容易であり、かつ、ピン抜き取り作業における危険なハンマー作業が不要で作業者の安全確保を図ることができる斬新な作業機械バケットの横ピン型取り付け具に用いる横ピンに関するものである。
【背景技術】
【０００２】
パワーショベル、ショベルローダ等の作業機械に取付けて使用する各種のバケットにおいては、該バケットの地盤を掘削する掘削縁部側に等間隔に列設した複数個（例えば４個又は５個）のアダプタに対して、複数個のポイントの後部を各々嵌合し、アダプタとポイントを貫く各横孔に各々横ピンを嵌合することで各ポイントを着脱可能に固着している。
【０００３】
このような従来型の横ピンの構成及び使用態様について図５乃至図９を参照して概説する。
【０００４】
図５乃至図７に示す第１の従来例は、作業機械バケット２１の地盤を掘削する掘削縁部側に配置するアダプタ２２の装着突部２２ａを、ポイント２４に設けた受凹部２５に嵌装するとともに、前記装着突部２２ａに設けた横孔と、受凹部２５の側壁に設けた横孔とを略貫通するように横ピン２６をハンマー等で打ち込むことで、これらアダプタ２２、ポイント２４を一体的に固着するものである。
【０００５】
前記横ピン２６としては、図６、図７に示すように、前記横孔よりわずかに小径としたピン本体２７の長さ方向中央部に設けた小径部２７ａに、アダプタ２２内の横孔内壁に圧接する抜け防止用のスプリングワッシャー部２８を備えるものを使用する。
【０００６】
このスプリングワッシャー部２８の外径はアダプタ２２内の横孔内径よりも大きく、前記横孔への嵌め込み時には、スプリング機能によりスプリングワッシャー部２８の外径は前記横孔と同等となり、完全に打ち込まれた状態では元の寸法に戻ろうとして前記アダプタ２２の横孔内壁に圧接する。これにより、前記横ピン２６の抜け止め作用を発揮させるものである。
【０００７】
図８、図９に示す第２の従来例は、作業機械バケット２１の地盤を掘削する掘削縁部側に配置するアダプタ２２の装着突部を、ポイント２４に設けた受凹部２５に嵌装するとともに、ポイント２４に設けた一方の横孔の外側から前記装着突部に設けた横孔と、受凹部２５の側壁に設けた横孔とを略貫通するように横ピン３１をハンマー等で打ち込むようにしている。
【０００８】
この場合に、前記アダプタ２２に設けた他方の横孔の外側端面に配置したリテーナ３２に、横ピン３１の端部近傍に設けたピン溝３１ａを係合させることでこれらアダプタ２２、ポイント２４を一体的に固着するとともに、横ピン３１の抜け止め防止を図っている。
【０００９】
前記リテーナ３２は、図９に示すように、アダプタ２２の横孔に添着する円筒体３３と、この円筒体３３に添着した割型のスプリングワッシャー３４とから構成され、スプリングワッシャー３４の内径を前記横ピン３１の外径よりも小さくし、横ピン打ち込み時にはスプリング機能により押し広げ、その後端部近傍に設けたピン溝３１ａにスプリングワッシャー３４の内径部を係合させることで横ピン３１の抜け止めを実現している。
【００１０】
しかしながら、上述した第１の従来例の場合、屋外での実際の使用を繰り返すと、スプリングワッシャー部２８に錆が生じて前記アダプタ２２の横孔内壁との密着性が高まり、横ピン２６の抜き取り作業が困難を極めるという事態が多く生じていた。
【００１１】
また、上述した第２の従来例の場合、横ピン３１をリテーナ３２から抜き取るための適正な工具がなく、やはり横ピン３１の抜き取り作業が困難を極めるという事態が多く生じている。
【００１２】
更に、上述した第１、第２の従来例いずれの場合も、ハンマーによる打ち込み作業や抜き取り作業が必須であり、このため、誤って横ピン抜き取り工具を保持する作業者の片手を打ってしまい怪我をする等の危険性もある。
【００１３】
特許文献１には、パワーショベル等の土木建設機械に取付けて使用するバケットの地盤を掘削する掘削縁部に予め溶接固定したアダプタに対して、ポイントの後部を嵌合し、アダプタとポイントに貫設した横孔に横ピンを強嵌合してポイントを着脱可能としたパワーショベル等のバケットの地均し板が開示されている。
【００１４】
この特許文献１の場合も、横ピンの抜き取りに関して格別の工夫を講じたものではなく、また、横ピンを抜き取るための工具に言及するものでもない。
【特許文献１】特開平９−１３７４７７号公報
【考案の開示】
【考案が解決しようとする課題】
【００１５】
本考案が解決しようとする問題点は、屋外で長期にわたって使用した場合でも横ピンの主要部分に錆が生じることがなく、しかも、ピンを抜くための特別な工具を全く必要とすることなく単なる通常の工具だけをもって、ピン抜きが簡略、容易であり、かつ、危険なハンマー作業が不要で作業者の安全確保の点にも優れる作業機械バケットの横ピン型取り付け具に用いる横ピンが存在しない点である。
【課題を解決するための手段】
【００１６】
本考案の作業機械バケットの横ピン型取り付け具に用いる横ピンは、作業機械バケットの掘削縁部側に列設したアダプタとこのアダプタに嵌装する各ポイントとを貫く各横孔に一方側から挿入し、各横孔の他方側でネジ止めして、前記ポイントを前記アダプタに各々固着する作業機械バケットの横ピン型取り付け具に用いる横ピンであって、突出端部にネジ止め用のネジ部を有するボルト型の横ピン本体と、前記横ピン本体の基端側に装着するワッシャーと、前記横ピン本体の突出端部側に介在させるワッシャー及び雨水等に対するシール部材と、前記ネジ部にネジ止めするネジ止め具と、を有することを最も主要な特徴とする。
【考案の効果】
【００１７】
請求項１記載の考案によれば、作業機械バケットを屋外で長期間使用し雨水等に晒された場合においても、横ピン本体のネジ部に錆が発生することがなく、また、特に抜き取り時に従来例のようなハンマーやピンを抜くための特別な工具を全く必要とすることなく単なる通常の工具だけをもって、抜き取り作業の簡略容易化及び作業安全性を図ることが可能な作業機械バケットの横ピン型取り付け具に用いる横ピンを提供することができる。
【００１８】
請求項２記載の考案によれば、突出端部から内方に向けて雌ネジを設けたボルト型の横ピン本体と、横ピン本体の基端側に装着するワッシャーと、横ピン本体の突出端部側に介在させる雨水等に対するシール部材で覆われたシールワッシャー、ワッシャー及び雨水等に対するシール部材で覆われたシールワッシャーと、横ピン本体の雌ネジにネジ止めするボルトと、を有する構成で、ボルトのネジ部分や雌ネジ内に水分が侵入して錆が発生する事態をなくすことができ、また、特に抜き取り時に従来例のようなハンマーやピンを抜くための特別な工具を全く必要とすることなく単なる通常の工具だけをもって、抜き取り作業の簡略容易化及び作業安全性を図ることが可能な作業機械バケットの横ピン型取り付け具に用いる横ピンを提供することができる。
【００１９】
請求項３記載の考案によれば、突出端部領域に雄ネジを設けたボルト型の横ピン本体と、前記横ピン本体の基端側に装着するワッシャーと、前記横ピン本体の突出端部領域に介在させるワッシャー及び雨水等に対するシール部材で覆われたシールワッシャーと、前記横ピン本体の雄ネジにネジ止めする袋ナットと、を有する構成で、横ピン本体の雄ネジ部分に水分が侵入して錆が発生する事態をなくすことができ、また、ピンを抜くための特別な工具を全く必要とすることなく単なる通常の工具だけをもって、抜き取り作業の簡略容易化及び作業安全性を図ることが可能な作業機械バケットの横ピン型取り付け具に用いる横ピンを提供することができる。
【考案を実施するための最良の形態】
【００２０】
本考案は、屋外で長期にわたって使用した場合でも横ピンの主要部分に錆が生じることがなく、しかも、ピンを抜くための特別な工具を全く必要とすることなく単なる通常の工具だけをもって、ピン抜きが簡略、容易であり、かつ、危険なハンマー作業が不要で作業者の安全確保の点にも優れる作業機械バケットの横ピン型取り付け具に用いる横ピンを提供するという目的を有するものである。
【００２１】
本考案の作業機械バケットの横ピン型取り付け具に用いる横ピンは、作業機械バケットの掘削縁部側に列設したアダプタとこのアダプタに嵌装する各ポイントとを貫く各横孔に一方側から挿入し、各横孔の他方側でネジ止めして、前記ポイントを前記アダプタに各々固着する作業機械バケットの横ピン型取り付け具に用いる横ピンであって、突出端部から内方に向けて雌ネジを設けたボルト型の横ピン本体と、前記横ピン本体の基端側に装着するワッシャーと、前記横ピン本体の突出端部側に介在させる雨水等に対するシール部材で覆われたシールワッシャー、ワッシャー及び雨水等に対するシール部材で覆われたシールワッシャーと、前記横ピン本体の雌ネジにネジ止めするボルトと、を有する構成により上記目的を実現した。
【実施例】
【００２２】
以下に、本考案の実施例に係る作業機械バケットの横ピン型取り付け具に用いる横ピンについて詳細に説明する。
【００２３】
（実施例１）
図１、図２を参照して本実施例１に係る作業機械バケット２１の横ピン型取り付け具に用いる横ピン１について説明する。
【００２４】
図１、図２に示す本実施例１に係る作業機械バケットの横ピン型取り付け具に用いる横ピン１は、上述した図５に示す作業機械バケット２１のアダプタ２２、ポイント２４をネジ止め方式で一体的に固着するように構成したことが特徴である。
【００２５】
すなわち、本実施例１に係る作業機械バケットの横ピン型取り付け具に用いる横ピン１は、図１、図２に示すように、突出端部から内方に向けて雌ネジ３を設けたボルト型の横ピン本体２と、前記横ピン本体２の基端側に装着するワッシャー４と、前記横ピン本体２の突出端部側に介在させるゴムパッキン等の雨水等に対するシール部材で覆われたシールワッシャー５、ワッシャー６及び雨水等に対するシール部材で覆われたゴムパッキン等のシールワッシャー７と、前記横ピン本体２の雌ネジ３にネジ止めするボルト８と、を有している。
【００２６】
本実施例１の作業機械バケットの横ピン型取り付け具に用いる横ピン１を用いて前記ポイント２４を前記アダプタ２２に一体的に取り付ける場合には、まず、ポイント２４に設けた受凹部２５をアダプタ２２の装着突部２２ａに対向させ、ポイント２４をアダプタ２２に差し込む。
【００２７】
次に、横ピン本体２の基端側にワッシャー４を装着し、この横ピン本体２をポイント２４の一方の横孔２４ａ、アダプタ２２の横孔２２ｂ、他方の横孔２４ａの順に差し込む。
【００２８】
次に、ボルト８にシールワッシャー５、ワッシャー６及びシールワッシャー７の順に嵌め、ポイント２４の他方の横孔２４ａの外側から前記ボルト８を前記雌ネジ３にねじ込み締め付ける。
【００２９】
これにより、作業機械バケットの横ピン型取り付け具に用いる横ピン１によって前記アダプタ２２、ポイント２４を一体的に固着することができる。
【００３０】
このような作業機械バケットの横ピン型取り付け具に用いる横ピン１によるアダプタ２２、ポイント２４の固着作業をアダプタ２２の列設個数（例えば５個）分繰り返すことにより、前記各ポイント２４を作業機械バケット２１の各アダプタ２２に強固に、かつ、一体的に取り付けることができる。
【００３１】
本実施例１の作業機械バケットの横ピン型取り付け具に用いる横ピン１を用いて前記ポイント２４を前記アダプタ２２に一体的に取り付けた場合には、前記横ピン本体２の突出端部側に設けた雌ネジ３に対して、シールワッシャー５、ワッシャー６及びシールワッシャー７を介して前記ボルト８がねじ込まれているので、作業機械バケット２１を屋外で長期間使用し雨水等に晒された場合においても、ボルト８のネジ部分や雌ネジ３内に水分が侵入することは皆無となり、この結果、これらに錆が発生することを回避できる。
【００３２】
次に、前記ポイント２４を前記アダプタ２２から取り外す場合について説明する。この場合には、まず、前記ボルト８を例えばスパナ等の工具により緩めて前記雌ネジ３からシールワッシャー５、ワッシャー６及びシールワッシャー７とともに抜き取る。このとき、上述したように、ボルト８のネジ部分や雌ネジ３に錆が発生していないことから、前記ボルト８の抜き取り作業を簡略容易に行うことができる。
【００３３】
次いでポイント２４の一方の横孔２４ａ側から横ピン本体２をワッシャー４とともに抜き取る。
【００３４】
このような横ピン本体２の抜き取り作業がアダプタ２２の列設個数（例えば５個）分繰り返される。
【００３５】
本実施例１の作業機械バケットの横ピン型取り付け具に用いる横ピン１によれば、作業機械バケット２１を屋外で長期間使用し雨水等に晒された場合においても、ボルト８のネジ部分や雌ネジ３内に水分が侵入して錆が発生することがなく、しかも、ピンを抜くための特別な工具を全く必要とすることなく単なる通常工具だけをもって、ピン抜きが簡略、容易であり、かつ、危険なハンマー作業が不要で作業者の安全確保の点にも優れ、抜き取り作業の簡略容易化及び作業安全性を図ることが可能となる。
【００３６】
（実施例２）
図３、図４を参照して本考案の実施例２に係る作業機械バケットの横ピン型取り付け具に用いる横ピン１１について説明する。
【００３７】
本実施例２に係る作業機械バケットの横ピン型取り付け具に用いる横ピン１１も、図３、図４に示すように、上述した図５に示す作業機械バケット２１のアダプタ２２、ポイント２４をネジ止め方式で一体的に固着するように構成したことが特徴である。
【００３８】
すなわち、本実施例２に係る作業機械バケットの横ピン型取り付け具に用いる横ピン１１は、突出端部領域に雄ネジ１３を設けたボルト型の横ピン本体１２と、前記横ピン本体１２の基端側に装着するワッシャー１４と、前記横ピン本体１２の突出端部領域に介在させるワッシャー１５及びゴムパッキン等の雨水等に対するシール部材で覆われたシールワッシャー１６と、前記横ピン本体１２の雄ネジ１３にネジ止めする袋ナット１７と、を有している。
【００３９】
本実施例２の作業機械バケットの横ピン型取り付け具に用いる横ピン１１を用いて前記ポイント２４を前記アダプタ２２に一体的に取り付ける場合には、まず、上述した場合と同様、ポイント２４に設けた受凹部２５をアダプタ２２の装着突部２２ａに対向させ、ポイント２４をアダプタ２２に差し込む。
【００４０】
次に、横ピン本体１２の基端側にワッシャー１４を装着し、この横ピン本体１２をポイント２４の一方の横孔２４ａ、アダプタ２２の横孔２２ｂ、他方の横孔２４ａの順に差し込む。
【００４１】
次に、前記横ピン本体１２の突出端部領域の雄ネジ１３の外周に前記ワッシャー１５及びシールワッシャー１６の順で装着し、この状態で袋ナット１７を前記雄ネジ１３にネジ止めし締め付ける。
これにより、作業機械バケットの横ピン型取り付け具に用いる横ピン１１によって前記アダプタ２２、ポイント２４を一体的に固着することができる。
【００４２】
このような作業機械バケットの横ピン型取り付け具に用いる横ピン１１によるアダプタ２２、ポイント２４の固着作業をアダプタ２２の列設個数（例えば５個）分繰り返すことにより、前記各ポイント２４を作業機械バケット２１の各アダプタ２２に強固に、かつ、一体的に取り付けることができる。
【００４３】
本実施例２の作業機械バケットの横ピン型取り付け具に用いる横ピン１１を用いて前記ポイント２４を前記アダプタ２２に一体的に取り付けた場合には、前記横ピン本体１２の突出端部領域の雄ネジ１３に対して、前記ワッシャー１５及びシールワッシャー１６を介して袋ナット１７がねじ込まれているので、作業機械バケット２１を屋外で長期間使用し雨水等に晒された場合においても、前記横ピン本体１２の雄ネジ１３の部分に水分が侵入することは皆無となり、この結果、この部分に錆が発生することを回避できる。
【００４４】
次に、前記ポイント２４を前記アダプタ２２から取り外す場合について説明する。この場合には、まず、前記袋ナット１７を例えばスパナ等の工具により緩めて前記雄ネジ１３から外す。このとき、上述したように、前記雄ネジ１３の部分に錆が発生していないことから、袋ナット１７の外し作業を簡略容易に行うことができる。更に前記ワッシャー１５及びシールワッシャー１６も前記雄ネジ１３から外す。
【００４５】
次いで、ポイント２４の一方の横孔２４ａ側から横ピン本体１２をワッシャー１４とともに抜き取る。
【００４６】
このような横ピン本体１２の抜き取り作業がアダプタ２２の列設個数（例えば５個）分繰り返される。
【００４７】
本実施例２の作業機械バケットの横ピン型取り付け具に用いる横ピン１１によれば、作業機械バケット２１を屋外で長期間使用し雨水等に晒された場合においても、前記雄ネジ１３のネジ部分に水分が侵入して錆が発生することがなく、しかも、ピンを抜くための特別な工具を全く必要とすることなく単なる通常の工具だけをもって、ピン抜きが簡略、容易であり、かつ、危険なハンマー作業が不要で作業者の安全確保の点にも優れ、抜き取り作業の簡略容易化及び作業安全性を図ることが可能となる。
【産業上の利用可能性】
【００４８】
本考案の作業機械バケットの横ピン型取り付け具に用いる横ピンは、上述したパワーショベル、ショベルローダ等の作業機械バケットに適用する場合の他、横ピン結合構造で一の部材と他の部材とを取り付け、また、必要に応じて分離するような機械器具について応用可能である。
【図面の簡単な説明】
【００４９】
【図１】本考案の実施例１に係る作業機械バケットの横ピン型取り付け具に用いる横ピンのアダプタ、ポイントに対する取り付け状態を示す概略部分断面図である。
【図２】本実施例１に係る主として横ピンの分解状態の概略図である。
【図３】本考案の実施例２に係る作業機械バケットの横ピン型取り付け具に用いる横ピンのアダプタ、ポイントに対する取り付け状態を示す概略部分断面図である。
【図４】本考案の実施例２に係る主として横ピンの分解状態の概略図である。
【図５】一般的な作業機械バケット及び横ピンを示す斜視図である。
【図６】第１の従来例の横ピン、アダプタ及びポイントの分解状態の平面図である。
【図７】第１の従来例の横ピンの拡大平面図である。
【図８】第２の従来例の横ピン、アダプタ及びポイントの分解状態の平面図である。
【図９】第２の従来例の横ピン及びリテーナを示す斜視図である。
【符号の説明】
【００５０】
１    横ピン
２    横ピン本体
３    雌ネジ
４    ワッシャー
５    シールワッシャー
６    ワッシャー
７    シールワッシャー
８    ボルト
１１    横ピン
１２    横ピン本体
１３    雄ネジ
１４    ワッシャー
１５    ワッシャー
１６    シールワッシャー
１７    袋ナット
２１    作業機械バケット
２２    アダプタ
２２ａ  装着突部
２２ｂ  横孔
２４    ポイント
２４ａ  横孔
２５    受凹部
【手続補正２】
【補正対象書類名】図面
【補正対象項目名】図５
【補正方法】変更
【補正の内容】
【図５】
0003140108.tif 000012
【手続補正３】
【補正対象書類名】図面
【補正対象項目名】図８
【補正方法】変更
【補正の内容】
【図８】
0003140108.tif 000013